【手続補正書】
【提出日】平成30年3月9日(2018.3.9)
【手続補正１】
【補正対象書類名】明細書
【補正対象項目名】００１３
【補正方法】変更
【補正の内容】
【００１３】
図１において、撮像部１はレンズ、ＣＭＯＳイメージセンサなどの撮像素子、オートフォーカス機構、ズーム機構などを含む。撮像部１は、カメラ制御部３の指示に従い、被写体に対して焦点や光量などを調整し、レンズを通して結像された被写界の光学像を映像信号に変換し、カメラ信号処理部２に送出する。
【手続補正２】
【補正対象書類名】明細書
【補正対象項目名】００２８
【補正方法】変更
【補正の内容】
【００２８】
Ｓ１０１では、ＣＰＵ１０１は、現在の動作モードがカメラモードであるか、再生モードであるかを判定する。カメラモードの場合はＳ１０２に進み、再生モードの場合はＳ１２３に進む。
【手続補正３】
【補正対象書類名】明細書
【補正対象項目名】００２９
【補正方法】変更
【補正の内容】
【００２９】
Ｓ１０２では、ＣＰＵ１０１は、再生指示があったか否かを判定する。ここでは、カメラモードでの再生指示であるので、ＣＰＵ１０１は、操作部１０に含まれるＲＥＣ ＲＥＶＩＥＷボタンが押下されたか否かの判定を行う。判定の結果、ＲＥＣ ＲＥＶＩＥＷボタンが押下されたと判定した場合はＳ１０３に進み、そうでない場合はＳ１０２でＲＥＣ ＲＥＶＩＥＷボタンが押下されるのを待つ。なお、この判定以外にも、動画の記録指示があったか否か、再生モードに切り替える指示があったか否か、設定メニューを表示する指示があったか否かなどの判定も行い、それに応じた処理も行うが、本実施形態では詳細は省略する。
【手続補正４】
【補正対象書類名】明細書
【補正対象項目名】００３０
【補正方法】変更
【補正の内容】
【００３０】
Ｓ１０３では、ＣＰＵ１０１は、４秒再生が設定されているか否かを判定する。ここでは、図４で前述したレックレビューの再生方法がどのように設定されているかを判定しており、ＲＯＭ１０３に記憶された設定情報を読み出すことにより判定を行う。判定の結果、「最終４秒」に設定されている場合にはＳ１０４に進み、「クリップ先頭から」に設定されている場合はＳ１０５に進む。
【手続補正５】
【補正対象書類名】明細書
【補正対象項目名】００３１
【補正方法】変更
【補正の内容】
【００３１】
Ｓ１０４では、ＣＰＵ１０１は、レックレビューの再生開始位置を最後に撮影したクリップ（最新のクリップ）の終端部より４秒手前（終端位置より第２の期間前）に設定する。
【手続補正６】
【補正対象書類名】明細書
【補正対象項目名】００３２
【補正方法】変更
【補正の内容】
【００３２】
Ｓ１０５では、ＣＰＵ１０１は、レックレビューの再生開始位置を、最新のクリップの始端部（先頭）に設定する。
【手続補正７】
【補正対象書類名】明細書
【補正対象項目名】００３３
【補正方法】変更
【補正の内容】
【００３３】
Ｓ１０６では、ＣＰＵ１０１は、Ｓ１０４またはＳ１０５で設定されたレックレビューの再生開始位置から動画の再生を開始する（レックレビューを行う）。
【手続補正８】
【補正対象書類名】明細書
【補正対象項目名】００３４
【補正方法】変更
【補正の内容】
【００３４】
Ｓ１０７では、ＣＰＵ１０１は、レックレビューの再生位置を正方向にジャンプする操作があった否かを判定する。正方向へのジャンプ指示は、操作部１０に含まれる右ボタンを押下することによって行えるものとする。正方向へのジャンプ指示があった場合（右ボタンが押下された場合）はＳ１０８に進み、そうでない場合はＳ１１３に進む。
【手続補正９】
【補正対象書類名】明細書
【補正対象項目名】００３５
【補正方法】変更
【補正の内容】
【００３５】
Ｓ１０８では、ＣＰＵ１０１は、ジャンプ後の再生位置を決定するために、クリップの終端位置と現在の再生位置の差ａを算出する。
【手続補正１０】
【補正対象書類名】明細書
【補正対象項目名】００３６
【補正方法】変更
【補正の内容】
【００３６】
Ｓ１０９では、ＣＰＵ１０１は、Ｓ１０８で算出したクリップの終端位置と現在の再生位置との差ａが、１４秒（１回のジャンプ指示に応じた標準のジャンプ秒数である第１の期間（１０秒）と、レックレビューでの最低再生秒数として設定されている第２の期間（４秒）との和である合計期間）よりも大きいか否かを判定する。判定の結果、１４秒よりも大きいと判定した場合はＳ１１０に進み、１４秒以下と判定した場合はＳ１１１に進む。
【手続補正１１】
【補正対象書類名】明細書
【補正対象項目名】００３７
【補正方法】変更
【補正の内容】
【００３７】
Ｓ１１０では、ＣＰＵ１０１は、ジャンプ後の再生開始位置を、現在の再生位置より１０秒先（現在の再生位置より第１の期間先）に設定する。クリップの終端位置と現在の再生位置の差ａが１４秒より大きいと、正方向へ１０秒のジャンプを行ってもレックレビューが最低再生秒数の４秒以上実行されるため、再生開始位置は現在の再生位置に標準のジャンプ秒数である１０秒を加えた位置になる。
【手続補正１２】
【補正対象書類名】明細書
【補正対象項目名】００３８
【補正方法】変更
【補正の内容】
【００３８】
続くＳ１１８では、ＣＰＵ１０１は、ジャンプ後の再生開始位置として設定された位置にジャンプして再生を行う。この場合の概念図を図５（Ｂ）の（ｂ−１）に示す。ジャンプ前に再生していた位置が、クリップの終端部より１４秒以上前である位置５２１であった場合、正方向へのジャンプ指示に応じて、位置５２１から１０秒先の位置５２２にジャンプして再生を行う。
【手続補正１３】
【補正対象書類名】明細書
【補正対象項目名】００３９
【補正方法】変更
【補正の内容】
【００３９】
Ｓ１１１では、クリップの終端位置と現在の再生位置との差ａが合計期間以下、つまり１４秒以下と判定されたので、ＣＰＵ１０１は、さらにクリップの終端位置と現在の再生位置の差ａが４秒より大きいか否かを判定する。判定の結果、４秒より大きい場合はＳ１１２に進み、４秒以下の場合はジャンプを実行しないでＳ１１８に進み、現在の再生位置からの再生を継続する。
【手続補正１４】
【補正対象書類名】明細書
【補正対象項目名】００４０
【補正方法】変更
【補正の内容】
【００４０】
Ｓ１１２では、ジャンプ後の再生開始位置を、クリップの終端部より最低再生秒数である４秒手前（終端位置より第２の期間前）に設定する。
【手続補正１５】
【補正対象書類名】明細書
【補正対象項目名】００４１
【補正方法】変更
【補正の内容】
【００４１】
続くＳ１１８では、ＣＰＵ１０１は、ジャンプ後の再生開始位置として設定された位置にジャンプして再生を行う。この場合の概念図を図５（Ｂ）の（ｂ−２）に示す。ジャンプ前に再生していた位置が、クリップの終端部より４秒以上前である位置５２３であった場合、正方向へのジャンプ指示に応じて、位置５２３から、クリップ終端部より４秒手前の位置５２４にジャンプして再生を行う。この場合の位置５２３と位置５２４との時間差（ジャンプ秒数）は１０秒以下であり、ジャンプ前の再生位置５２３に応じて異なる。
【手続補正１６】
【補正対象書類名】明細書
【補正対象項目名】００４２
【補正方法】変更
【補正の内容】
【００４２】
Ｓ１１１でクリップの終端位置と現在の再生位置の差ａが４秒以下であると判定し、ジャンプを実行しないでＳ１１８で現在の位置から再生を継続する場合の概念図を図５（Ｂ）の（ｂ−３）に示す。ジャンプ前に再生していた位置が、クリップの終端部より手前４秒以内である位置５２５であった場合、正方向へのジャンプ指示があってもジャンプは行わず、そのまま再生を継続する。
【手続補正１７】
【補正対象書類名】明細書
【補正対象項目名】００４３
【補正方法】変更
【補正の内容】
【００４３】
Ｓ１１３では、ＣＰＵ１０１は、レックレビューの再生位置を負方向にジャンプする操作があった否かを判定する。負方向へのジャンプ指示は、操作部１０に含まれる左ボタンの押下することによって行えるものとする。負方向へのジャンプ指示があった場合（左ボタンが押下された場合）はＳ１１４に進み、そうでない場合はＳ１１９に進む。
【手続補正１８】
【補正対象書類名】明細書
【補正対象項目名】００４４
【補正方法】変更
【補正の内容】
【００４４】
Ｓ１１４では、ＣＰＵ１０１は、ジャンプ後の再生開始位置を決定するために、現在の再生位置とクリップの先頭位置の差ｂを算出する。単に、現在の再生位置の秒数がクリップ先頭からの位置を示している場合は算出は特にしなくても良い。
【手続補正１９】
【補正対象書類名】明細書
【補正対象項目名】００４５
【補正方法】変更
【補正の内容】
【００４５】
Ｓ１１５では、ＣＰＵ１０１は、クリップ先頭から現在の再生位置までの時間が、１０秒（１回のジャンプ指示に応じた標準のジャンプ秒数）よりも長いか否かを判定する。１０秒よりも長いと判定した場合はＳ１１６に進み、１０秒以内であると判定した場合にはＳ１１７に進む。
【手続補正２０】
【補正対象書類名】明細書
【補正対象項目名】００４６
【補正方法】変更
【補正の内容】
【００４６】
Ｓ１１６では、ＣＰＵ１０１は、ジャンプ後の再生開始位置を、現在の再生位置より１０秒前（現在の再生位置より第１の期間前）に設定する。
【手続補正２１】
【補正対象書類名】明細書
【補正対象項目名】００４７
【補正方法】変更
【補正の内容】
【００４７】
続くＳ１１８で、ＣＰＵ１０１は、ジャンプ後の再生開始位置として設定された位置にジャンプして再生を行う。この場合の概念図を図５（Ｃ）の（ｃ−１）に示す。ジャンプ前に再生していた位置が、クリップ先頭から１０秒以上後である位置５３１であった場合、負方向へのジャンプ指示に応じて、位置５３１から１０秒手前の位置５３２にジャンプして再生を行う。
【手続補正２２】
【補正対象書類名】明細書
【補正対象項目名】００４８
【補正方法】変更
【補正の内容】
【００４８】
Ｓ１１７では、ＣＰＵ１０１は、ジャンプ後の再生開始位置を、クリップの先頭位置に設定する。
【手続補正２３】
【補正対象書類名】明細書
【補正対象項目名】００４９
【補正方法】変更
【補正の内容】
【００４９】
続くＳ１１８で、ＣＰＵ１０１は、ジャンプ後の再生開始位置として設定された位置にジャンプして再生を行う。この場合の概念図を図５（Ｃ）の（ｃ−２）に示す。ジャンプ前に再生していた位置が、クリップ先頭から１０秒以内である位置５３３であった場合、負方向へのジャンプ指示に応じて、現在の再生位置５３３から、クリップ先頭の位置５３４にジャンプして再生を行う。この場合の位置５３３と位置５３４との時間差（ジャンプ秒数）は１０秒以下であり、ジャンプ前の再生位置５３３の位置に応じて異なる。
【手続補正２４】
【補正対象書類名】明細書
【補正対象項目名】００５０
【補正方法】変更
【補正の内容】
【００５０】
Ｓ１１９では、ＣＰＵ１０１は、レックレビューの再生時間が４秒固定に設定されているか否かを判定する。レックレビューの再生時間は設定メニューからユーザ操作に応じて設定可能であり、「４秒固定」と「クリップ終端部まで」のいずれかが設定されてＲＯＭ１０３に記録されているものとする。ＣＰＵ１０１は、ＲＯＭ１０３の設定情報を参照して、４秒固定に設定されているか否かを判定する。「４秒固定」に設定されていた場合はＳ１２０に進み、そうでない場合（すなわち「クリップ終端部まで」に設定されていた場合）はＳ１２１に進む。なお、４秒固定か否かは、ユーザが設定するものではなく、ビデオカメラの仕様として定めておいても良い。ビデオカメラの仕様として４秒固定が予め定められている場合は、Ｓ１１９の判定処理は行わないでＳ１２０に進む。
【手続補正２５】
【補正対象書類名】明細書
【補正対象項目名】００５１
【補正方法】変更
【補正の内容】
【００５１】
Ｓ１２０では、ＣＰＵ１０１は、Ｓ１０６のレックレビューの再生と、Ｓ１１８のジャンプ後の再生のうち直近の再生開始から４秒が経過したか否かを判定する。４秒が経過した場合はＳ１２２に進み、そうでない場合はＳ１２１に進む。
【手続補正２６】
【補正対象書類名】明細書
【補正対象項目名】００５２
【補正方法】変更
【補正の内容】
【００５２】
Ｓ１２１では、ＣＰＵ１０１は、現在の再生位置がクリップの終端部に達したか否かを判定する。判定の結果、終端部に達した場合は１２２に進み、そうでない場合はＳ１０７に戻る。
【手続補正２７】
【補正対象書類名】明細書
【補正対象項目名】００５３
【補正方法】変更
【補正の内容】
【００５３】
Ｓ１２２では、レックレビューの再生を自動的に停止し、撮影待機状態に戻る。すなわち、表示部８に撮像部１で撮像した映像をライブビュー表示し、撮影指示を受付ける状態に復帰する。なお、本例では４秒固定に設定されている場合に４秒が経過するか、クリップ終端部に達するとレックレビューを終了しているが、ＳＴＯＰボタンの押下などのユーザからの停止や撮影の指示による割り込み処理などによりレックレビューを終了することもできる。
【手続補正２８】
【補正対象書類名】明細書
【補正対象項目名】００５４
【補正方法】変更
【補正の内容】
【００５４】
なお、Ｓ１０１でカメラモードではないと判定した場合は、ビデオカメラは再生モードにある。その場合の再生は、レックレビューではなく通常再生になる。通常再生では、再生するクリップは、複数のクリップが記録されている場合はこれらすべてのクリップが対象になり得る。Ｓ１２３で再生指示があった（操作部１０に含まれる再生ボタンが押下された）と判定すると、ＣＰＵ１０１は、Ｓ１２４で動画の再生を開始する。再生対象は、再生を開始した時点よりも時系列的に後に位置するすべてのクリップである。
【手続補正２９】
【補正対象書類名】明細書
【補正対象項目名】００５５
【補正方法】変更
【補正の内容】
【００５５】
Ｓ１２５では、ＣＰＵ１０１は、再生開始時点よりも時系列的に後に位置するすべてのクリップの再生が完了したか否かを判定する。完了した場合はＳ１２６に進み、動画の再生を停止する。なお、ＳＴＯＰボタンの押下などによるユーザからの停止指示、撮影指示による割り込み処理などによって再生モードでの動画の再生を終了することもできる。また、再生モードでの動画再生途中には、操作部１０に含まれる早送りボタン／早戻しボタンの操作に応じた動画の早送り、早戻しも行えるものとする。また、右ボタンの押下に応じた正方向へのジャンプ、左ボタンの押下に応じた負方向へのジャンプも行えるものとする。ただし、再生モードでの正方向へのジャンプは、レックレビューにおける４秒のような最低再生秒数は設定しない。したがって、例えば、図３のクリップ２の再生中に正方向へのジャンプ指示が行われた場合、現在の再生位置からクリップ２の終端部までが１０秒より長い場合は（合計期間１４秒以内であっても）、現在の再生位置から１０秒先にジャンプして再生する。また、クリップ２の再生中に正方向へのジャンプ指示が行われた場合、現在の再生位置からクリップ２の終端部までの時間が１０秒以内の場合は、クリップ２の終端部（次のクリップであるクリップ３の先頭）にジャンプさせて、クリップ３の先頭から再生行う。
【手続補正３０】
【補正対象書類名】明細書
【補正対象項目名】００５６
【補正方法】変更
【補正の内容】
【００５６】
このように、クリップの終端付近での正方向へのジャンプに関する動作を、レックレビューと再生モードで変更しているのは以下の理由による。すなわち、レックレビューを行う目的は、直前に撮影した動画（最新の動画、最後に撮影した動画）の内容を確認することである。この場合、ユーザは、直前に撮影した動画の終端付近を確認し、最後に撮影した動画がどのような場面で終わっているのかを確認することで、次にどのような動画を撮影するべきかの判断材料とするユースケースが考えられる。あるいは、最後に撮影した動画がどのような場面で終わっているのかを確認することで、撮影したかった被写体の動作を最後まで撮影できたかを確認し、撮り直しが必要であるかどうかの判断材料とするユースケースも考えられる。このため、撮影モードの際に利用されるレックレビューでは、ユーザからの正方向へのジャンプ指示がなされても、最低でも数秒（本例では４秒）はクリップの終端部を再生するようにしている。一方、再生モードで動画を再生している際のジャンプ指示は、ユーザは次の撮影をどのように行うべきかの判断材料を求めているというよりは、再生して鑑賞したい場面を探す目的でジャンプを利用すると想定される。従って、クリップの終端部を数秒確認させるようなジャンプは行わず、再生位置がクリップの終端部に近い位置でジャンプ指示が行われたのであれば、次のクリップの先頭にジャンプすることで、素早い場面探索を優先している。
【手続補正３１】
【補正対象書類名】明細書
【補正対象項目名】００５７
【補正方法】変更
【補正の内容】
【００５７】
なお、本実施形態では、Ｓ１０２〜Ｓ１２２の処理をビデオカメラでのレックレビューに適用した例を説明したが、本発明はこれに限られない。例えば、ビデオカメラでの再生モードでの再生や、他の動画再生機器における一般的な動画再生中の再生位置のジャンプにも適用可能である。これによって、鑑賞している動画の終端付近を素早く確実に確認することができる。
【手続補正３２】
【補正対象書類名】明細書
【補正対象項目名】００５８
【補正方法】変更
【補正の内容】
【００５８】
さらに、本実施形態では、動画の再生における再生位置のジャンプについて説明したが、時系列データである音声の再生における再生位置のジャンプにも同様に適用可能である。なお、音声の再生に適用する場合も、図２で説明した例と同様に、音声の記録モード中に、最後に記録した音声を再生する動作モードであるか、再生モードで音声を再生するモードであるかに応じて処理を場合分けするとより好適である。すなわち、音声の記録モード中に、最後に記録した音声を再生する場合には、音声クリップの最後の数秒（図２の例では４秒）は再生されるように、Ｓ１０２〜Ｓ１２２と同様の処理を音声に関して行う。再生モードで音声を再生する場合には、音声クリップの終端部を数秒確認するようなジャンプは行わず、再生位置がクリップの終端部に近い位置でジャンプ指示が行われたのであれば、次のクリップの先頭にジャンプすることで、素早い探索を優先する。